(57)【特許請求の範囲】
【請求項１】
地中の浅い箇所に大きい構造物を構築し、地中の深い箇所に小さい構造物を構築し、全体として鉛直方向に形状の異なる地中構造物を構築する地中構造物の構築方法において、
ニューマチックケーソン工法により前記地中の浅い箇所に沈設する前記大きい構造物を形成するための大型のケーソン躯体に、ニューマチックケーソン工法により前記地中の深い箇所に沈設する前記小さい構築物を形成するための小型のケーソン躯体を前記大型のケーソン躯体を地中に沈設する前に組み込んでおき、
前記地中の浅い箇所に前記大型のケーソン躯体を沈設した後、前記大型のケーソン躯体から前記小型のケーソン躯体を前記地中の深い箇所に沈設する、
ことを特徴とする地中構造物の構築方法。
【請求項２】
大きい構造物を形成するための大型のケーソン躯体と、
前記大型のケーソン躯体の底版に離脱可能に挿着されて前記大型のケーソン躯体の内部に組み込まれる小さい構造物を形成するための小型のケーソン躯体と、
を備え、
前記小型のケーソン躯体は地中に沈設される前の前記大型のケーソン躯体に一体的に組み込まれる、
ことを特徴とする請求項１に記載の地中構造物の構築方法に用いるニューマチックケーソン。
【発明の詳細な説明】
【技術分野】
【０００１】
本発明は、地中の浅い箇所に大きい構造物を構築し、地中の深い箇所に小さい構造物を構築し、全体として鉛直方向に形状の異なる地中構造物を構築する際に適した地中構造物の構築方法及びこれに用いるニューマチックケーソンに関する。
【背景技術】
【０００２】
例えば変電所のような、地中の浅い箇所に大きな建築施設（構造物）を有し、深い箇所に地中線用の小さな立坑（構造物）を有する地中構造物など、鉛直方向に形状の異なる地中構造物を構築する場合、一般に、（１）一旦、地盤を浅い箇所の建築施設分だけ土留支保工の設置とともに掘削してそこに建築施設を構築し、そこから深い箇所の立坑をケーソン工法若しくは深礎工により構築する方法と、（２）地盤を、すべての構造物が包絡するように、土留の設置とともに掘削することにより若しくはケーソンを沈設することにより過分に掘削を行い、そこから浅い箇所に建築施設を構築し、深い箇所に立坑を構築する方法のいずれかが採用される。
ケーソン工法は、例えば特許文献１に記載されているように、その掘削方法及び沈設方法の違いによって、大きくニューマチックケーソン工法とオープンケーソン工法とに区分され、前者のニューマチックケーソン工法は、躯体下部に気密な作業室を設け、そこに地盤の間隙水圧に見合った圧縮空気を送り込むことにより地下水の浸入を防ぎ、ドライな状態で人力又は機械により土砂を掘削・搬出しながら、地上で構築した躯体を徐々に沈設する工法であり、後者のオープンケーソン工法は上下面が開放された筒状の躯体内部を地上からクラムシェルなどの掘削機械により掘削・搬出しながら、地上で構築した躯体を徐々に沈設する工法である。
深礎工は、例えば特許文献２に記載されているように、人力施工を基本とし、作業者が孔内に入り、人力で掘削する方法である。
【先行技術文献】
【特許文献】
【０００３】
【特許文献１】特開２００４−４４２４２号公報
【特許文献２】特開平１０−１５２８５３号公報
【発明の概要】
【発明が解決しようとする課題】
【０００４】
しかしながら、このように地中の浅い箇所に大きい構造物を構築し、地中の深い箇所に小さい構造物を構築し、全体として地中の鉛直方向に形状の異なる構造物を構築する場合、上記（１）のように２種類の工法を用いた施工では、地盤の掘削から地中構造物を構築するまでの工程が大幅に増大する、という問題があり、また、上記（２）のように地盤にすべての構造物を包絡する大きな掘削を行う施工では、掘削費用他工事に要する費用が過大になる、という問題がある。
【０００５】
本発明は、上記従来の問題を解決するものであり、地中の浅い箇所に大きい構造物を構築し、地中の深い箇所に小さい構造物を構築し、全体として地中に鉛直方向に形状の異なる構造物を構築する場合に、一工種での施工、及び連続した施工を可能とし、施工に要する工程を大幅に縮減でき、また、鉛直方向の構造物の形状に沿った形で掘削が可能で、掘削費用を低減し、さらに施工に使用する各種の設備を兼用、転用して、各種の設備に要する費用を低減し、全体としてコストを大幅に削減することのできる地中構造物の構築方法及びこれに用いるニューマチックケーソンを提供すること、を目的とする。
【課題を解決するための手段】
【０００６】
上記目的を達成するために、本発明は、
地中の浅い箇所に大きい構造物を構築し、地中の深い箇所に小さい構造物を構築し、全体として鉛直方向に形状の異なる地中構造物を構築する地中構造物の構築方法において、
ニューマチックケーソン工法により前記地中の浅い箇所に沈設する前記大きい構造物を形成するための大型のケーソン躯体に、ニューマチックケーソン工法により前記地中の深い箇所に沈設する前記小さい構築物を形成するための小型のケーソン躯体を前記大型のケーソン躯体を地中に沈設する前に組み込んでおき、
前記地中の浅い箇所に前記大型のケーソン躯体を沈設した後、前記大型のケーソン躯体から前記小型のケーソン躯体を前記地中の深い箇所に沈設する、
ことを要旨とする。
【０００７】
また、本発明の地中構造物の構築方法に用いるニューマチックケーソンは、
大きい構造物を形成するための大型のケーソン躯体と、
前記大型のケーソン躯体の底版に離脱可能に挿着されて前記大型のケーソン躯体の内部に組み込まれる小さい構造物を形成するための小型のケーソン躯体と、
を備え、
前記小型のケーソン躯体は地中に沈設される前の前記大型のケーソン躯体に一体的に組み込まれる、
ことを要旨とする。
【発明の効果】
【０００８】
本発明の地中構造物の構築方法によれば、地中の浅い箇所に大きい構造物を構築し、地中の深い箇所に小さい構造物を構築し、全体として鉛直方向に形状の異なる地中構造物を構築する場合に、ニューマチックケーソン工法により地中の浅い箇所に沈設する大きい構造物を形成するための大型のケーソン躯体に、ニューマチックケーソン工法により地中の深い箇所に沈設する小さい構築物を形成するための小型のケーソン躯体を大型のケーソン躯体を地中に沈設する前に組み込んでおき、地中の浅い箇所に大型のケーソン躯体を沈設した後、大型のケーソン躯体から小型のケーソン躯体を地中の深い箇所に沈設するので、一工種での施工、及び連続した施工を可能とし、施工に要する工程を大幅に縮減することができ、また、鉛直方向の構造物の形状に沿った形で掘削が可能で、掘削費用を低減し、さらにニューマチックケーソンに付帯され施工に使用する各種の設備を兼用、転用して、各種の設備に要する費用を低減し、全体としてコストを大幅に削減することができる、という本発明独自の格別な効果を奏する。
また、本発明のニューマチックケーソンによれば、上記地中構造物の構築方法を実現することができる、という本発明独自の格別な効果を奏する。
【図面の簡単な説明】
【０００９】
【図１】本発明の第１の実施の形態による地中構造物の構築方法及びこれに用いるニューマチックケーソンを併せて示す図
【図２】同地中構造物の構築方法及び同ニューマチックケーソンの要部を拡大して示す図
【図３】本発明の第２の実施の形態による地中構造物の構築方法及びこれに用いるニューマチックケーソンを併せて示す図
【発明を実施するための形態】
【００１０】
次に、この発明を実施するための形態について図を用いて説明する。
図１に第１の実施の形態を示している。
図１に示すように、この地中構造物の構築方法は、地中Ｇの浅い箇所に大きい構造物を構築し、地中の深い箇所に小さい構造物を構築し、全体として鉛直方向に形状の異なる地中構造物を構築する場合の工法で、この方法では、ニューマチックケーソン工法を用い、大きい構造物を形成するための大型のケーソン躯体Ｂ１を地中Ｇの浅い箇所に沈設し、大型のケーソン躯体Ｂ１に小さい構築物を形成するための小型のケーソン躯体Ｓ１を組み込み、大型のケーソン躯体Ｂ１から小型のケーソン躯体Ｓ１を地中Ｇの深い箇所に沈設する、大型、小型の２つのケーソン躯体Ｂ１、Ｓ１の２段式の沈設工法を採用する。
【００１１】
図１にこの地中構造物の構築方法に用いるニューマチックケーソンＰ１を併せて示し、図２にその要部を拡大して示している。
図１に示すように、このニューマチックケーソンＰ１は、大きい構造物を形成するための大型のケーソン躯体Ｂ１と、大型のケーソン躯体Ｂ１の底版１２に離脱可能に挿着されて大型のケーソン躯体Ｂ１の内部に組み込まれる小さい構造物を形成するための小型のケーソン躯体Ｓ１とを備え、この場合、小型のケーソンＳ１が大型のケーソン躯体Ｂ１に一体的に組み込まれる。
大型、小型のケーソン躯体Ｂ１、Ｓ１はそれぞれ、大きさが異なるだけで、概ね共通の構成を備える。
大型のケーソン躯体Ｂ１は、上下方向に側壁１０が形成されてこの側壁１０の下端に刃口１１が形成され、また、この側壁１１の内部の下部側に底版（天井スラブ）１２が形成されてその下方の刃口１１の内部に作業室１３が設けられる。なお、底版１２の一部には小型のケーソン躯体Ｓ１を組み込むための組み込み部１２０として小型のケーソン躯体Ｓ１が離脱可能に挿着可能な穴が穿設される。そして、このケーソン躯体Ｂ１内には、底版１２の所定の位置に複数の貫通孔１４０、１５０が貫通形成され、これらの貫通穴１４０、１５０に連通して底版１２の上面に、気圧調整及び土砂の搬出に使用するマテリアルシャフト１４、作業員の昇降に使用するマンシャフト１５が設置され、地下部の作業室１３内の天井スラブ、すなわち底版１２の下面に複数のレール１７が取り付けられ、これらのレール１７にそれぞれ、ケーソン躯体Ｂ１下部の地盤を掘削するのに使用する掘削機械１８が走行可能に配設され、また、地上部にこのケーソン躯体Ｂ１を構築するのに使用するタワークレーン（図示省略）、土砂を搬出するのに使用するスケータークレーン（図示省略）が設置されるなど、このケーソン躯体Ｂ１の各部にそれぞれ、ニューマチックケーソン工法に必要な各種の設備が配置される。なお、このケーソン躯体Ｂ１の上部に、適宜、ケーソン連設躯体が重ねて設置される。
小型のケーソンＳ１は、大型のケーソン躯体Ｂ１の底版１２に小型のケーソン躯体Ｓ１の組み込み部１２０として形成された穴内に刃口１１１が形成されてこの穴１２０から上方に向けて側壁１１０が形成され、また、この側壁１１０の内部の下部側に底版（天井スラブ）１１２が形成されてその下方の刃口１１１の内部に作業室１１３が設けられ、全体として、大型のケーソン躯体Ｂ１の底版１２（の組み込み部１２０）に離脱可能に挿着される。なお、このケーソン躯体Ｓ１の上部に、適宜、ケーソン連設躯体が重ねて設置される。また、図２に示すように、この小型のケーソン躯体Ｓ１の周囲、すなわち、このケーソン躯体Ｓ１の側壁１１０外面と大型のケーソン躯体Ｂ１の底版１２の穴１２０の内周面との間には、気密を確保するために、大型のケーソン躯体Ｂ１の底版１２上穴１２０の周囲に小型のケーソン躯体Ｓ１の側壁１１０外面に気密に密着可能にエントランス１９を使用した止水構造が施される。この場合、エントランス１９は、弾性材からなる環状シールドパッキン（エントランスパッキン）と、シールドパッキンの外周部に被せられる金属材からなる環状の押え部材とにより構成され、併せて、グリース２０が併用され、エントランス１９と小型のケーソン躯体Ｓ１の側壁１１０外面との間にグリース２０が注入充填される。さらに、この大型のケーソン躯体Ｂ１と小型のケーソン躯体Ｓ１との間には、この小型のケーソン躯体Ｓ１に対する揚圧に抵抗し、このケーソン躯体Ｓ１の浮き上がりを防止するために、複数の浮き上がり防止ピン２１を用いた浮き上がり防止構造が採られる。この場合、各浮き上がり防止ピン２１は、底版１２の穴１２０の内周面に固定される底版側のピンと、この底版側のピンにヒンジピン及び回動規制部材を介して下方向にのみ回動可能に連結され、小型のケーソン躯体Ｓ１の側壁１１０に固定される小型のケーソン躯体側のピンとにより構成される。そして、このケーソン躯体Ｓ１内には、底版１１２の所定の位置に貫通形成された貫通穴１４０（１つのみ図示）に連通して、底版１１２の上面に気圧調整及び土砂の搬出に使用するマテリアルシャフト１１４、作業員の昇降に使用するマンシャフト（図示省略）が設置され、地下部の作業室１１３内の天井スラブ、すなわち底版１１２の下面に複数の支柱１１６を介して複数のレール１１７が取り付けられ、これらのレール１１７にそれぞれ、ケーソン躯体Ｓ１下部の地盤を掘削するのに使用する掘削機械１１８が走行可能に配設されるなど、ケーソン躯体Ｓ１の各部にそれぞれ、ニューマチックケーソン工法に必要な各種の設備が配置される。
【００１２】
この地中構造物の構築方法では、図１に示すように、大型のケーソン躯体Ｂ１を地中に沈設する前に、大型のケーソン躯体Ｂ１の底版１２に小型のケーソン躯体Ｓ１を組み込んでおき、これら大型、小型の各ケーソン躯体Ｂ１、Ｓ１を用いて、大型のケーソン躯体Ｂ１の沈設ステップ、小型のケーソン躯体Ｓ１の沈設ステップを順次行い、これらのケーソン躯体Ｂ１、Ｓ１を基礎にして、地中の浅い箇所に大きい構造物を構築し、地中の深い箇所に小さい構造物を構築する。以下、その手順を具体的に説明する。
大型のケーソン躯体Ｂ１の沈設ステップでは、ニューマチックケーソン工法により、大きい構造物を形成するための大型のケーソン躯体Ｂ１を地中の浅い箇所に沈設する。
この場合、まず、鉄筋コンクリート製のケーソン躯体Ｂ１を地上で構築し、ケーソン躯体Ｂ１下部の気密の作業室１３に圧縮空気を送り込んで水の浸入を防ぎつつ、小型のケーソン躯体Ｓ１の作業室１１３内の掘削機械１１８を含む作業室１３内の各掘削機械１８により地盤の掘削作業を行いながら、大型のケーソン躯体Ｂ１を自重により（また、このケーソン躯体Ｂ１の沈下を促進するため、必要により、ケーソン躯体Ｂ１の底版１２上に荷重水を載荷したり、圧入用ジャッキとアンカー材を用いて、ケーソン躯体を地盤に圧入したりすることがあり、）地盤に所定のストロークずつ圧入沈降させ、適宜、このケーソン躯体Ｂ１の上にケーソン連設躯体を重ねて設置していき（これに伴い、マテリアルシャフト１４、１１４、マンシャフト１５は上方に延ばされ）、大型のケーソン躯体Ｂ１を所定の深さに着底する。なお、このケーソン躯体Ｂ１下部の作業室１３に圧縮空気を送り込んでの地盤の掘削作業の過程では、大型のケーソン躯体Ｂ１の底版１２の穴１２０の内周面と小型のケーソン躯体Ｓ１の側壁１１０外面との間の気密はエントランス１９及びグリース２０（図２参照）の併用により確保され、また、小型のケーソン躯体Ｓ１の揚圧に対しては、底版１２と小型のケーソン躯体Ｓ１との間の複数の浮き上がり防止ピン２１（図２参照）により（小型のケーソン躯体Ｓ１の上方への動きを規制されて）抵抗し、このケーソン躯体Ｓ１の浮き上がりが防止される。また、小型のケーソン躯体Ｓ１の沈下に対しては、このケーソン躯体Ｓ１下部の作業室１１３内の掘削機械１１８の走行レール１１７と支柱１１６（図２参照）によって抵抗する。この大型のケーソン躯体Ｂ１（及びケーソン連設躯体）の沈設後、このケーソン躯体Ｂ１の作業室１３内に中埋めコンクリート２２を充填して、この作業室１３内を中埋めする。なお、この中埋めにおいては、小型のケーソン躯体Ｓ１の直下の部分に弱強度のコンクリートを打設してもよい。
この大型のケーソン躯体Ｂ１の沈設（着底）、中埋め後、小型のケーソン躯体Ｓ１の沈設ステップに移行する。このステップでは、ニューマチックケーソン工法により、大型のケーソン躯体Ｂ１の底版１２に組み込まれた小型のケーソン躯体Ｓ１を大型のケーソン躯体Ｂ１の底版１２から地中の深い箇所に沈設する。この場合、大型のケーソン躯体Ｂ１の沈設ステップと同様に、小型のケーソン躯体Ｓ１下部の作業室１１３に圧縮空気を送り込んで水の浸入を防ぎつつ、この作業室１１３内の各掘削機械１１８により地盤の掘削作業を行い、小型のケーソン躯体Ｓ１を自重により（また、このケーソン躯体Ｓ１の沈下を促進するため、必要により、ケーソン躯体Ｓ１の底版１１２上に荷重水を載荷したり、圧入用ジャッキとアンカー材を用いて、ケーソン躯体Ｓ１を地盤に圧入したりすることがあり、）地盤に所定のストロークずつ圧入沈降させ、適宜、このケーソン躯体Ｓ１の上にケーソン連設躯体を重ねて設置していき（これに伴い、マテリアルシャフト、マンシャフトは上方に延ばされ）、小型のケーソン躯体Ｓ１を所定の深さに着底する。なお、小型のケーソン躯体Ｓ１の沈降過程で、底版１２と小型のケーソン躯体Ｓ１との間の浮き上がり防止ピン２１（図２参照）は小型のケーソン躯体Ｓ１の下方への動きを許容し、このケーソン躯体Ｓ１の沈降の障害になることがない。この小型のケーソン躯体Ｓ１の沈設後、作業室１１３内に中埋めコンクリートを充填して、この作業室１１３内を中埋めする。このようにして大型のケーソン躯体Ｂ１に連接して小型のケーソン躯体Ｓ１を沈設する。
そして、これらのケーソン躯体Ｂ１、Ｓ１（及びケーソン連設躯体）を基礎として、地中の浅い箇所に大きい構造物を構築し、地中の深い箇所に小さい構造物を構築し、全体として鉛直方向に形状の異なる地中構造物を構築する。
【００１３】
以上説明したように、この地中構造物の構築方法では、ニューマチックケーソン工法により、大きい構造物を形成するための大型のケーソン躯体Ｂ１を地中の浅い箇所に沈設し、大型のケーソン躯体Ｂ１の底版１２に小さい構築物を形成するための小型のケーソン躯体Ｓ１を組み込み、大型のケーソン躯体Ｂ１の沈設（着底）、中埋め後、大型のケーソン躯体Ｂ１の底版１２から小型のケーソン躯体Ｓ１を地中の深い箇所に沈設するので、一工種での施工、及び連続した施工を可能とし、施工に要する工程を大幅に縮減することができ、また、鉛直方向の構造物の形状に沿った形で掘削が可能で、掘削費用を低減し、さらに各ケーソン躯体Ｂ１、Ｓ１下部の掘削機械１８、１１８、各ケーソン躯体Ｂ１、Ｓ１内部のマテリアルシャフト１４、マンシャフト１５、地上部の圧縮気設備、各種のクレーンなど、ニューマチックケーソンＰ１に付帯され施工に使用する各種の設備を兼用、転用して、各種の設備に要する費用を低減し、全体としてコストを大幅に削減することができる。
また、ニューマチックケーソンＰ１により、この地中構造物の構築方法を実現することができる。
【００１４】
図３に第２の実施の形態を示している。
図３に示すように、この地中構造物の構築方法もまた、地中の浅い箇所に大きい構造物を構築し、地中の深い箇所に小さい構造物を構築し、全体として鉛直方向に形状の異なる地中構造物を構築する場合の工法で、この方法でも、ニューマチックケーソン工法により、大きい構造物を形成するための大型のケーソン躯体Ｂ２を地中の浅い箇所に沈設し、大型のケーソン躯体Ｂ２に小さい構築物を形成するための小型のケーソン躯体Ｓ２を組み込み、大型のケーソン躯体Ｂ２から小型のケーソン躯体Ｓ２を地中の深い箇所に沈設する、大型、小型の２つのケーソン躯体Ｂ２、Ｓ２の２段式の沈設工法を採用する。
【００１５】
図３にこの地中構造物の構築方法に用いるニューマチックケーソンＰ２を併せて示している。
図３に示すように、このニューマチックケーソンＰ２は、大きい構造物を形成するための大型のケーソン躯体Ｂ２と、大型のケーソン躯体Ｂ２の底版１２に離脱可能に挿着されて大型のケーソン躯体Ｂ２の内部に組み込まれる小さい構造物を形成するための小型のケーソン躯体Ｓ２とを備え、この場合、小型のケーソン躯体Ｓ２と大型のケーソン躯体Ｂ２は別体で、大型のケーソン躯体Ｂ２の底版１２に小型のケーソン躯体Ｓ２のための組み込み部１２０を有し、小型のケーソン躯体Ｓ２は大型のケーソン躯体Ｂ２の底版１２に後付けにより組み込まれる。
大型、小型のケーソン躯体Ｂ２、Ｓ２はそれぞれ、大きさが異なるだけで、概ね共通の構成を備える。
大型のケーソン躯体Ｂ２は、全体として、第１の実施の形態（大型のケーソン躯体Ｂ１）と略共通の構成を備えているので、第１の実施の形態と共通の部分には同じ符号を付して、その重複した説明を省略することとする。また、マテリアルシャフト１４、マンシャフト１５などの図示は省略してある。この大型のケーソン躯体Ｂ２は、底版１２に、（初期態様として）小型のケーソン躯体Ｓ２が組み込まれるのに代えて、小型のケーソン躯体Ｓ２のための組み込み部１２０のみが形成される点で、第１の実施の形態と異なる。この場合、底版１２の一部に小型のケーソン躯体Ｓ２を組み込むための組み込み部１２０として小型のケーソン躯体Ｓ２が離脱可能に挿着可能な穴が穿設され、この穴１２０が仮底版１２１により閉塞される。この仮底版１２１は底版１２の穴１２０にコンクリートが打設されて形成され、この仮底版１２１に対する揚圧に抵抗するため、底版１２と仮底版１２１との間に複数の支保工２３が設置される。この場合、仮底版２３は底版１２の穴１２０の下部側開口から下部側開口と上部側開口との間の中間部付近までの範囲に形成され、各支保工２３は底版１２の穴１２０の内周面と仮底版１２１の上面外周側縁部との間に設置固定されて、各支保工２３により仮底版１２１が上から押え込まれるようになっている。また、大型のケーソン躯体Ｂ２の底版１２上で小型のケーソン躯体Ｓ２の組み込み部１２０の周囲には、この組み込み部１２０に小型のケーソン躯体Ｓ２が組み込まれる際に、小型のケーソン躯体Ｓ２の側壁１１０外面に気密に密着可能にエントランス１９を使用した止水構造が施される。このエントランス１９は第１の実施の形態で説明したとおりである。また、小型のケーソン躯体Ｓ２の組み込み時にグリース２０も併用される。なお、このケーソン躯体Ｂ２の上部に、適宜、ケーソン連設躯体が重ねて設置される。
小型のケーソンＳ２は、第１の実施の形態と同様に、大型のケーソン躯体Ｂ２の底版１２に小型のケーソン躯体Ｓ２の組み込み部１２０として形成された穴内に刃口１１１が形成されてこの穴１２０から上方に向けて側壁１１０が形成され、また、この側壁１１０の内部の下部側に底版（天井スラブ）１１２が形成されてその下方の刃口１１１の内部に作業室１１３が設けられ、全体が大型のケーソン躯体Ｂ２の底版１２（の組み込み部１２０）に離脱可能に挿着される。なお、このケーソン躯体Ｓ２の上部に、適宜、ケーソン連設躯体が重ねて設置される。そして、このケーソン躯体Ｓ２内には、底版１１２の所定の位置に貫通形成された開口１４０（１つのみ図示）に連通して、底版１１２の上面に気圧調整及び土砂の搬出に使用するマテリアルシャフト１１４、作業員の昇降に使用するマンシャフト（図示省略）が設置され、地下部の作業室１１３内の天井スラブ、すなわち底版１１２の下面に複数のレール１７が取り付けられ、これらのレール１７にそれぞれ、ケーソン躯体Ｓ２下部の地盤を掘削するのに使用する掘削機械１１８が走行可能に配設されるなど、ケーソン躯体Ｓ２の各部にそれぞれ、ニューマチックケーソン工法に必要な各種の設備が配置される。
【００１６】
この地中構造物の構築方法では、大型のケーソン躯体Ｂ２を地中に沈設する前に、大型のケーソン躯体Ｂ２の底版１２に小型のケーソン躯体Ｓ２のための組み込み部１２０を形成しておき、大型のケーソン躯体Ｂ２の沈設（着底）、中埋め後、大型のケーソン躯体Ｂ２の底版１２０に小型のケーソン躯体Ｓ２を組み込むようにして、これら大型、小型の各ケーソン躯体Ｂ２、Ｓ２を用いて、大型のケーソン躯体Ｂ２の沈設ステップ、小型のケーソン躯体Ｓ２の沈設ステップを順次行い、これらのケーソン躯体Ｂ２、Ｓ２を基礎にして、地中の浅い箇所に大きい構造物を構築し、地中の深い箇所に小さい構造物を構築する。以下、その手順を具体的に説明する。
大型のケーソン躯体Ｂ２の沈設ステップでは、ニューマチックケーソン工法により、大きい構造物を形成するための大型のケーソン躯体Ｂ２を地中の浅い箇所に沈設する。
この場合、まず、鉄筋コンクリート製のケーソン躯体Ｂ２を地上で構築し、ケーソン躯体Ｂ２下部の気密の作業室１３に圧縮空気を送り込んで水の浸入を防ぎつつ、作業室１３内の各掘削機械１８により地盤の掘削作業を行いながら、大型のケーソン躯体Ｂ２を自重により（また、このケーソン躯体Ｂ２の沈下を促進するため、必要により、ケーソン躯体Ｂ２の底版１２上に荷重水を載荷したり、圧入用ジャッキとアンカー材を用いて、ケーソン躯体を地盤に圧入したりすることがあり、）地盤に所定のストロークずつ圧入沈降させ、適宜、このケーソン躯体Ｂ２の上にケーソン連設躯体を重ねて設置していき（これに伴い、マテリアルシャフト、マンシャフトは上方に延ばされ）、大型のケーソン躯体Ｂ２を所定の深さに着底する。なお、このケーソン躯体Ｂ２下部の作業室１３に圧縮空気を送り込んでの地盤の掘削作業の過程で、底版１２の仮底版１２１の揚圧に対しては、底版１２と仮底版１２１との間の複数の支保工２３により押え込まれて抵抗し、この仮底版１２１の浮き上がりが防止される。この大型のケーソン躯体Ｂ２（及びケーソン連設躯体）の沈設後、作業室１３内に中埋めコンクリート２２を充填して、この作業室１３内を中埋めする。なお、この中埋めにおいては、仮底版１２１の直下の部分に弱強度のコンクリートを打設してもよい。
この大型のケーソン躯体Ｂ２の沈設（着底）、中埋め後、小型のケーソン躯体Ｓ２の沈設ステップに移行する。このステップでは、大型のケーソン躯体Ｂ２の底版１２の組み込み部（穴）１２０に、既述のとおり、小型のケーソン躯体Ｓ２を組み込み形成し、ニューマチックケーソン工法により、大型のケーソン躯体Ｂ２の底版１２から小型のケーソン躯体Ｓ２を地中の深い箇所に沈設する。この場合、大型のケーソン躯体Ｂ２の沈設ステップと同様に、小型のケーソン躯体Ｓ２下部の作業室１１３に圧縮空気を送り込んで水の浸入を防ぎつつ、この作業室１１３内の各掘削機械１１８により地盤の掘削作業を行い、このケーソン躯体Ｓ２を自重により（また、このケーソン躯体Ｓ２の沈下を促進するため、必要により、ケーソン躯体Ｓ２の底版１１２上に荷重水を載荷したり、圧入用ジャッキとアンカー材を用いて、ケーソン躯体Ｓ２を地盤に圧入したりすることがあり、）地盤に所定のストロークずつ圧入沈降させ、適宜、このケーソン躯体Ｓ２の上にケーソン連設躯体を重ねて設置していき（これに伴い、マテリアルシャフト、マンシャフトは上方に延ばされ）、小型のケーソン躯体Ｓ２を所定の深さに着底する。この小型のケーソン躯体Ｓ２の沈設後、作業室１１３内に中埋めコンクリートを充填して、この作業室１１３内を中埋めする。このようにして大型のケーソン躯体Ｂ２に連接して小型のケーソン躯体Ｓ２を沈設する。
そして、これらのケーソン躯体Ｂ２、Ｓ２（及びケーソン連設躯体）を基礎として、地中の浅い箇所に大きい構造物を構築し、地中の深い箇所に小さい構造物を構築し、全体として鉛直方向に形状の異なる地中構造物を構築する。
【００１７】
このようにしても、第１の実施の形態と同様の作用効果を奏することができる。
【符号の説明】
【００１８】
Ｐ１、Ｐ２  ニューマチックケーソン
Ｂ１、Ｂ２  大型のケーソン躯体
Ｓ１、Ｓ２  小型のケーソン躯体
１０、１１０  側壁
１１、１１１  刃口
１２、１１２  底版（天井スラブ）
１２０  組み込み部（穴）
１２１  仮底版
１３、１１３  作業室
１４０  貫通孔
１４、１１４  マテリアルシャフト
１５０  貫通孔
１５  マンシャフト
１６、１１６  支柱
１７、１１７  レール
１８、１１８  掘削機械
１９  エントランス
２０  グリース
２１  浮き上がり防止ピン
２２  中埋めコンクリート
２３  支保工
【図１】
0006503608.tif 000002
【図２】
0006503608.tif 000003
【図３】
0006503608.tif 000004